(57)【特許請求の範囲】
【請求項１】
交流電源を直流電源に変換するＡＣ／ＤＣコンバータから出力される直流電力を建造物に配線した直流供給線路を介して直流機器に供給するＤＣ配電システムに用いるＬＥＤ照明器具であって、発光ダイオードからなる光源と、直流供給線路に接続される一対の直流入力端と、一対の直流入力端間に直列に接続され交互にオンオフ制御される第１および第２のスイッチング素子と、第１および第２のスイッチング素子のいずれか一方と並列に接続されたインダクタと出力トランスの１次巻線とコンデンサとの直列回路からなる直列共振回路と、出力トランスの第１の２次巻線に誘起される電圧を整流する整流回路と、整流回路の出力を平滑して光源に印加する平滑コンデンサと、出力トランスの１次巻線に磁気的に結合されており各々の両端間に誘起される電圧により第１および第２のスイッチング素子をそれぞれオンする第１および第２の補助巻線と、第１および第２の補助巻線に誘起される電圧に基づいて第１および第２のスイッチング素子をそれぞれオフする第１および第２の制御回路とを器具本体に備え、各制御回路は、各々のオン時に各スイッチング素子をオフするスイッチ要素と、各補助巻線に生じる誘起電圧をピークホールドするピークホールド回路と、前記誘起電圧がピークホールド回路によるホールド電圧より予め定めるレベル以上低下したときにスイッチ要素をオンする比較器とを有することを特徴とするＬＥＤ照明器具。
【請求項２】
前記第１および第２のスイッチング素子のスイッチング周波数は５００ｋＨｚ以上であることを特徴とする請求項１記載のＬＥＤ照明器具。
【請求項３】
前記器具本体は、前記出力トランスの２次側に設けた第２の２次巻線に誘起される電圧で充電される二次電池と、前記直流供給線路から前記直流入力端への電力供給の停止を検出する停電検出手段と、停電検出手段で電力供給の停止が検出されると直流入力端への入力を二次電池に切り替える入力切替手段とを備えることを特徴とする請求項１または請求項２に記載のＬＥＤ照明器具。
【請求項４】
前記器具本体の外郭を構成する可搬型の器体を備え、当該器体は前記直流入力端に接続された接触子を保持しており、当該接触子は、前記直流供給線路に接続された接触子受けを有する直流アウトレットに対して、前記接触子受けと接触する形で着脱自在に装着されることを特徴とする請求項３記載のＬＥＤ照明器具。
【発明の詳細な説明】
【技術分野】
【０００１】
本発明は、発光ダイオードからなる光源に直流電力を供給することにより光源を点灯させるＬＥＤ照明器具に関するものである。
【背景技術】
【０００２】
近年、蛍光灯などに代えて発光ダイオード（ＬＥＤ）を光源に用いた照明器具（以下、ＬＥＤ照明器具という）が提供されている。ＬＥＤ照明器具は、蛍光灯などを光源とする照明器具に比べて、省電力化、長寿命化を図ることができるという利点がある。一般的なＬＥＤ照明器具は、建造物に配線された交流供給線路に接続されることにより使用されるものであって、交流供給線路を介して商用電源等の交流電源から供給される交流電力を受け、発光ダイオードからなる光源を点灯させる。
【０００３】
この種のＬＥＤ照明器具は、交流電源を直流電源に変換するＡＣ／ＤＣ変換回路を有し、変換後の直流電力を適宜の大きさに調節して光源に供給することによって光源を発光させるように構成されている。ここで、整流後の直流電力を用いて光源の点灯に適した直流電力を生成するために、スイッチング電源が用いられることが多い。
【０００４】
この種のＬＥＤ照明器具に適用可能な小型高効率のスイッチング電源としては、複合共振型の直列コンバータ回路が知られている（たとえば特許文献１参照）。図６にその従来技術による主回路構成を示し、図７には図６の回路構成における主な部位の波形を示す。
【０００５】
図６のＬＥＤ照明器具１は、交流供給線路Ｗａｃに接続される一対の交流入力端Ｉｎ１’，ＩＮ２’間に、電源スイッチＳＷ０および突入電流制限用の抵抗Ｒ１を介してダイオードブリッジ型の全波整流器ＤＢが接続され、さらに全波整流器ＤＢの出力端間に全波整流器ＤＢと共にＡＣ／ＤＣ変換回路１２を形成する平滑コンデンサＣ０が接続された構成を有する。これにより、電源スイッチＳＷ０をオンすると、平滑コンデンサＣ０の両端に直流電圧が生じることになる。
【０００６】
平滑コンデンサＣ０の両端間には、パワーＭＯＳＦＥＴからなる第１および第２のスイッチング素子Ｑ１，Ｑ２の直列回路が接続される。そして、これらスイッチング素子Ｑ１，Ｑ２の接続点と平滑コンデンサＣ０の一端との間に、インダクタＬと出力トランスＴ１の１次巻線Ｌ１０とコンデンサＣ１との直列共振回路を形成し、第１および第２のスイッチング素子Ｑ１，Ｑ２のいずれか一方と並列にコンデンサＣ２が接続される（図６では、平滑コンデンサＣ０の一端は低圧側に、コンデンサＣ２は第２のスイッチング素子Ｑ２に並列に接続した例を示している）。また、スイッチング素子Ｑ１，Ｑ２には、それぞれ逆並列にダイオードＤ１，Ｄ２が接続される（一般的に、ＭＯＳＦＥＴのボディダイオードで兼用される）。
【０００７】
さらに出力トランスＴ１の２次巻線に中間タップを設けて２分割（Ｌ２１，Ｌ２２）し、それらの出力を整流するダイオードＤ３，Ｄ４で全波整流回路を形成し、各ダイオードＤ３，Ｄ４のカソードと前記中間タップとの間に平滑コンデンサＣ３および光源２が接続される。スイッチング素子Ｑ１，Ｑ２は、ブロックで示した制御部１０によって、複合共振条件を加味して予め設定された周波数で交互にオンオフされる。したがって、制御部１０には、高周波発振機能、２つのスイッチング素子Ｑ１，Ｑ２を交互に駆動する機能、および２つのスイッチング素子Ｑ１，Ｑ２を共にオフするデッドタイム期間を設定する機能、必要に応じて入出力電圧や電流、電力を制御する為のフィードフォワードやフィードバック制御機能ならびに出力可変機能などが備えられる。
【０００８】
図７において、Ｖｇ１，Ｖｇ２は制御部１０によって予め設定されたスイッチング素子Ｑ１，Ｑ２の駆動信号を示しており、当該駆動信号は交互にオンオフされるとともに、両方がオフするデッドタイム期間が設定されている。ＶＱ１，ＶＱ２およびＩＱ１，ＩＱ２は、スイッチング素子Ｑ１，Ｑ２のドレイン−ソース間電圧およびドレイン電流を示す。ここで、駆動信号Ｖｇ１がＨｉｇｈの時、スイッチング素子Ｑ１にはドレイン電流ＩＱ１が流れ、Ｌｏｗの時は平滑コンデンサＣ０の両端電圧に略等しい電圧ＶＱ１がスイッチング素子Ｑ１に印加される（スイッチング素子Ｑ２の場合も同様）。なお、デッドタイム期間においては、コンデンサＣ２とインダクタＬおよび出力トランスＴ１の励磁インダクタンスとによる効果から、ドレイン−ソース間電圧ＶＱ１，ＶＱ２は任意の傾斜を持った立上がり、立下り波形となる。
【０００９】
また、ドレイン電流ＩＱ１，ＩＱ２は、略インダクタＬとコンデンサＣ１とで設定される直列共振電流波形となり、これらの合成電流がインダクタＬと出力トランスＴ１の１次巻線Ｌ１０とコンデンサＣ１との直列共振回路の電流となる。ＶＣ１はコンデンサＣ１の電圧波形を表しており、前記の直列共振回路の電流より位相の遅れた波形となる。ＩＤ３，ＩＤ４は出力整流用のダイオードＤ３，Ｄ４の電流波形を示すもので、スイッチング素子Ｑ１，Ｑ２の駆動周波数（スイッチング周波数）と、インダクタＬおよびコンデンサＣ１の直列共振周波数との関係が「共振周波数＞駆動周波数」の条件を満足する設定とすることよって、ダイオードＤ３，Ｄ４の一方の電流が流れ終わった後に他方の電流が流れ始めるように設定が可能で、両方のダイオード電流が流れない期間は出力側へ電力が伝達されない。すなわち、前記ダイオードＤ３，Ｄ４の電流が流れない期間では、出力トランスＴ１の２次側は無負荷と考えられ、１次側の直列共振回路にトランスＴの１次側励磁インダクタンスが直列に挿入されて直列共振条件が切り替わる結果、ドレイン電流ＩＱ１およびＩＱ２の波形にも変曲点が見られる。
【００１０】
このような複合共振型直列コンバータでは、ＺＶＳ（ゼロ電圧スイッチング）、すなわちスイッチング素子Ｑ１，Ｑ２の印加電圧が低下した後で同スイッチング素子Ｑ１，Ｑ２に電流が流れ始めるような条件設定が可能とされ、スイッチング損失が極めて少ないこと、およびダイオードＤ３，Ｄ４のリカバリ損失を回避できることから、高効率で高周波化が可能となる。また、スイッチング時の電圧・電流波形が安定しているとともに、ダイオードＤ３，Ｄ４のリンギングも抑制できることから、雑音面でも優れている。
【特許文献１】特許第２７３４２９６号公報
【発明の開示】
【発明が解決しようとする課題】
【００１１】
ところで、上述したＬＥＤ照明器具１は、交流供給線路Ｗａｃを介して交流電源ＡＣに接続されるから、交流電源ＡＣを直流電源に変換するＡＣ／ＤＣ変換回路１２が必須構成である。しかし、ＬＥＤ照明器具１の小型化を図る場合には、ＡＣ／ＤＣ変換回路１２を構成する全波整流器ＤＢや平滑コンデンサＣ０が小型化の妨げとなるという問題がある。
【００１２】
また、上述の従来技術は、周波数を予め発振器で設定し、２つのスイッチング素子Ｑ１，Ｑ２を駆動する所謂他励式のスイッチング電源１１であり、高電位側のスイッチング素子Ｑ１へのレベルシフタが必要で、その周波数追従性や損失の観点からスイッチング素子Ｑ１，Ｑ２のスイッチング周波数の高周波化には限界があるので、出力トランスＴ１は小型化が困難であり、ＬＥＤ照明器具１全体の小型化の妨げとなる。
【００１３】
本発明は上記事由に鑑みてなされたものであって、従来構成に比べて小型化が可能なＬＥＤ照明器具を提供することを目的とする。
【課題を解決するための手段】
【００１４】
請求項１の発明は、交流電源を直流電源に変換するＡＣ／ＤＣコンバータから出力される直流電力を建造物に配線した直流供給線路を介して直流機器に供給するＤＣ配電システムに用いるＬＥＤ照明器具であって、発光ダイオードからなる光源と、直流供給線路に接続される一対の直流入力端と、一対の直流入力端間に直列に接続され交互にオンオフ制御される第１および第２のスイッチング素子と、第１および第２のスイッチング素子のいずれか一方と並列に接続されたインダクタと出力トランスの１次巻線とコンデンサとの直列回路からなる直列共振回路と、出力トランスの第１の２次巻線に誘起される電圧を整流する整流回路と、整流回路の出力を平滑して光源に印加する平滑コンデンサと、出力トランスの１次巻線に磁気的に結合されており各々の両端間に誘起される電圧により第１および第２のスイッチング素子をそれぞれオンする第１および第２の補助巻線と、第１および第２の補助巻線に誘起される電圧に基づいて第１および第２のスイッチング素子をそれぞれオフする第１および第２の制御回路とを器具本体に備え、各制御回路が、各々のオン時に各スイッチング素子をオフするスイッチ要素と、各補助巻線に生じる誘起電圧をピークホールドするピークホールド回路と、前記誘起電圧がピークホールド回路によるホールド電圧より予め定めるレベル以上低下したときにスイッチ要素をオンする比較器とを有することを特徴とする。
【００１５】
この構成によれば、ＬＥＤ照明器具における一対の直流入力端は直流供給線路を介してＡＣ／ＤＣコンバータの出力に接続されるので、ＬＥＤ照明器具には直流供給線路を介して直流電力が供給されることになる。したがって、ＬＥＤ照明器具においては交流電源を直流電源に変換するＡＣ／ＤＣ変換回路が不要になり、ＡＣ／ＤＣ変換回路を構成する全波整流器や平滑コンデンサの分だけＬＥＤ照明器具の小型化が可能になるという利点がある。さらに上記構成によれば、第１および第２の補助巻線の誘起電圧を各スイッチング素子のオン駆動に用いる電圧帰還型の自励式複合共振直列コンバータから成るスイッチング電源において、各制御回路が、各々のオン時にスイッチング素子をオフするスイッチ要素と、各補助巻線に生じる誘起電圧をピークホールドするピークホールド回路と、前記誘起電圧がピークホールド回路によるホールド電圧より予め定めるレベル以上低下したときにスイッチ要素をオンする比較器とを有するので、第１および第２の補助巻線のうち、一方の電圧低下を検知して第１および第２のスイッチング素子のうちのオンしていた側をオフ駆動するとともに、他方の電圧上昇により第１および第２のスイッチング素子のうちのオフしていた側をオンさせる。こうして、電圧帰還型の自励式複合共振直列コンバータにおいて、適切なスイッチング条件（ＺＶＳ動作）を簡易な構成で実現でき、本来の特徴である低損失・低雑音化を維持しながら、他励式に比べて大幅な回路の簡素化、低コスト化を実現することができる。また、スイッチング周波数をより高周波化し、出力トランスの小型化によるＬＥＤ照明器具の小型化にも適応できる。
【００１６】
請求項２の発明は、請求項１の発明において、前記第１および第２のスイッチング素子のスイッチング周波数が５００ｋＨｚ以上であることを特徴とする。
【００１７】
この構成によれば、スイッチング周波数を従来の他励式では困難な５００ｋＨｚ以上とすることで、出力トランスの小型化を図ることができる。
【００１８】
請求項３の発明は、請求項１または請求項２の発明において、前記器具本体が、前記出力トランスの２次側に設けた第２の２次巻線に誘起される電圧で充電される二次電池と、前記直流供給線路から前記直流入力端への電力供給の停止を検出する停電検出手段と、停電検出手段で電力供給の停止が検出されると直流入力端への入力を二次電池に切り替える入力切替手段とを備えることを特徴とする。
【００１９】
この構成によれば、直流供給線路から直流入力端への電力供給の停止が検出されると、直流入力端への入力が二次電池に切り替わるので、停電時には二次電池を電源として光源を点灯させることができ、たとえば非常灯や誘導灯への適用が可能である。
【００２０】
請求項４の発明は、請求項３の発明において、前記器具本体の外郭を構成する可搬型の器体を備え、当該器体が前記直流入力端に接続された接触子を保持しており、当該接触子が、前記直流供給線路に接続された接触子受けを有する直流アウトレットに対して、前記接触子受けと接触する形で着脱自在に装着されることを特徴とする。
【００２１】
この構成によれば、ＬＥＤ照明器具の可搬型の器体を直流アウトレットから取り外した状態でも、二次電池を電源として光源を点灯させることができ、ＬＥＤ照明器具を懐中電灯などの可搬型の照明器具として使用することができる。
【発明の効果】
【００２２】
本発明は、従来構成に比べてＬＥＤ照明器具を小型化できるという効果がある。
【発明を実施するための最良の形態】
【００２３】
以下の各実施形態で説明するＬＥＤ発光装置は、図２に示すように、たとえば住宅などの分電盤１１０内に配設したＡＣ／ＤＣコンバータ１１２によって商用電源等の交流電源ＡＣを直流電源に変換し、各部屋に設置され正極および負極の一対の給電部を有する直流コンセント１３１等の直流アウトレットに対して分電盤１１０から直流電力を配電するＤＣ配電システムに用いられるものである。
【００２４】
ここで、ＤＣ配電システムについて以下に図２を参照して簡単に説明する。
【００２５】
以下の説明では、ＤＣ配電システムを適用する建物として戸建て住宅の家屋を想定して説明するが、ＤＣ配電システムの技術思想を集合住宅に適用することを妨げるものではない。家屋Ｈには、図２に示すように、直流電力を出力する直流電力供給部１０１と、直流電力により駆動される負荷としての直流機器１０２とが設けられ、直流電力供給部１０１の出力端部に接続した直流供給線路Ｗｄｃを通して直流機器１０２に直流電力が供給される。直流電力供給部１０１と直流機器１０２との間には、直流供給線路Ｗｄｃに流れる電流を監視し、異常を検知したときに直流給電線路Ｗｄｃ上で直流電力供給部１０１から直流機器１０２への給電を制限ないし遮断する直流ブレーカ１１４が設けられる。
【００２６】
直流供給線路Ｗｄｃは、直流電力の給電路であるとともに通信路としても兼用されており、高周波の搬送波を用いてデータを伝送する通信信号を直流電圧に重畳することにより直流供給線路Ｗｄｃに接続された機器間での通信を可能にしている。この技術は、交流電力を供給する電力線において交流電圧に通信信号を重畳させる電力線搬送技術と類似した技術である。
【００２７】
直流供給線路Ｗｄｃは、直流電力供給部１０１を介して宅内サーバ１１６に接続される。宅内サーバ１１６は、宅内の通信網（以下、「宅内網」という）を構築する主装置であり、宅内網において直流機器１０２が構築するサブシステムなどと通信を行う。
【００２８】
図示例では、サブシステムとして、パーソナルコンピュータ、無線アクセスポイント、ルータ、ＩＰ電話機のような情報系の直流機器１０２からなる情報機器システムＫ１０１、照明器具のような照明系の直流機器１０２からなる照明システムＫ１０２，Ｋ１０５、来客対応や侵入者の監視などを行う直流機器１０２からなるインターホンシステムＫ１０３、火災感知器のような警報系の直流機器１０２からなる住警器システムＫ１０４などがある。各サブシステムは、自立分散システムを構成しており、サブシステム単独でも動作が可能になっている。
【００２９】
上述した直流ブレーカ１１４は、サブシステムに関連付けて設けられており、図示例では、情報機器システムＫ１０１、照明システムＫ１０２およびインターホンシステムＫ１０３、住警器システムＫ１０４、照明システムＫ１０５に関連付けて４個の直流ブレーカ１１４を設けている。１台の直流ブレーカ１１４に複数個のサブシステムを関連付ける場合には、サブシステムごとに直流供給線路Ｗｄｃの系統を分割する接続ボックス１２１が設けられる。図示例においては、照明システムＫ１０２とインターホンシステムＫ１０３との間に接続ボックス１２１が設けられている。
【００３０】
情報機器システムＫ１０１としては、壁コンセントあるいは床コンセントの形態で家屋Ｈに先行配置（家屋Ｈの建築時に施工）される直流コンセント１３１に接続される直流機器１０２からなる情報機器システムＫ１０１が設けられる。
【００３１】
照明システムＫ１０２、Ｋ１０５としては、家屋Ｈに先行配置される照明器具（直流機器１０２）からなる照明システムＫ１０２と、天井に先行配置される引掛シーリング１３２に接続する照明器具（直流機器１０２）からなる照明システムＫ１０５とが設けられる。引掛シーリング１３２には、家屋Ｈの内装施工時に施工業者が照明器具を取り付けるか、または家人自身が照明器具を取り付ける。
【００３２】
照明システムＫ１０２を構成する直流機器１０２である照明器具に対する制御の指示は、赤外線リモコン装置を用いて与えるほか、直流供給線路Ｗｄｃに接続されたスイッチ１４１から通信信号を用いて与えることができる。すなわち、スイッチ１４１は直流機器１０２とともに通信の機能を有している。また、スイッチ１４１の操作によらず、宅内網の別の直流機器１０２あるいは宅内サーバ１１６から通信信号により制御の指示がなされることもある。照明器具への指示には、点灯、消灯、調光、点滅点灯などがある。
【００３３】
上述した直流コンセント１３１、引掛シーリング１３２には、任意の直流機器１０２を接続することができ、接続された直流機器１０２に直流電力を出力するから、以下では直流コンセント１３１、引掛シーリング１３２を区別する必要がない場合には「直流アウトレット」と呼ぶ。
【００３４】
これらの直流アウトレットは、直流機器１０２に直接設けた接触子（図示せず）または接続線を介して設けた接触子（図示せず）が差し込まれる差込式の接続口（給電部）が器体に開口し、接続口に差し込まれた接触子に直接接触する接触子受けが器体に保持された構造を有している。すなわち、直流アウトレットは接触式で給電を行う。直流アウトレットに接続された直流機器１０２が通信機能を有する場合には、直流供給線路Ｗｄｃを通して通信信号を伝送することが可能になる。直流機器１０２だけではなく直流アウトレットにも通信機能が設けられている。
【００３５】
宅内サーバ１１６は、宅内網に接続されるだけではなく、インターネットを構築する広域網ＮＴに接続される接続口を有している。宅内サーバ１１６が広域網ＮＴに接続されている場合には、広域網ＮＴに接続されたコンピュータサーバであるセンタサーバ２００によるサービスを享受することができる。
【００３６】
センタサーバ２００が提供するサービスには、広域網ＮＴを通して宅内網に接続された機器（主として直流機器１０２であるが通信機能を有した他の機器も含む）の監視や制御を可能にするサービスがある。このサービスにより、パーソナルコンピュータ、インターネットＴＶ、移動体電話機などのブラウザ機能を備える通信端末（図示せず）を用いて宅内網に接続された機器の監視や制御が可能になる。
【００３７】
宅内サーバ１１６は、広域網ＮＴに接続されたセンタサーバ２００との間の通信と、宅内網に接続された機器との間の通信との両方の機能を備え、宅内網の機器に関する識別情報（ここでは、ＩＰアドレスを用いるものとする）の取得の機能を備える。
【００３８】
宅内サーバ１１６は、センタサーバ２００との通信機能を用いることにより、広域網ＮＴに接続された通信端末からセンタサーバ２００を通して宅内の機器の監視や制御を可能にする。センタサーバ２００は、宅内の機器と広域網ＮＴ上の通信端末とを仲介する。
【００３９】
通信端末から宅内の機器の監視や制御を行う場合は、監視や制御の要求をセンタサーバ２００に記憶させ、宅内の機器は定期的に片方向のポーリング通信を行うことにより、通信端末からの監視や制御の要求を受信する。この動作により、通信端末から宅内の機器の監視や制御が可能になる。
【００４０】
また、宅内の機器において火災検知など通信端末に通知すべきイベントが生じたときには、宅内の機器からセンタサーバ２００に通知し、センタサーバ２００から通信端末に対して電子メールによる通知を行う。
【００４１】
宅内サーバ１１６における宅内網との通信機能のうち重要な機能は、宅内網を構成する機器の検出と管理である。宅内サーバ１１６では、ＵＰｎＰ（Universal Plug and Play）を応用して宅内網に接続された機器を自動的に検出する。宅内サーバ１１６はブラウザ機能を有する表示器１１７を備え、検出した機器の一覧を表示器１１７に表示する。この表示器１１７はタッチパネル式もしくは操作部が付設された構成を有し、表示器１１７の画面に表示された選択肢から所望の内容を選択する操作が可能になっている。したがって、宅内サーバ１１６の利用者（施工業者あるいは家人）は、表示器１１７の画面上で機器の監視ないし制御が可能になる。表示器１１７は宅内サーバ１１６とは分離して設けてもよい。
【００４２】
宅内サーバ１１６では、機器の接続に関する情報を管理しており、宅内網に接続された機器の種類や機能とアドレスとを把握する。したがって、宅内網の機器を連動動作させることができる。機器の接続に関する情報は上述のように自動的に検出されるが、機器を連動動作させるには、機器自身が保有する属性により自動的に関係付けを行うほか、宅内サーバ１１６にパーソナルコンピュータのような情報端末を接続し、情報端末のブラウザ機能を利用して機器の関係付けを行うこともできる。
【００４３】
機器の連動動作の関係は各機器がそれぞれ保持する。したがって、機器は宅内サーバ１１６を通すことなく連動動作することができる。各機器について、連動動作の関係付けを行うことにより、たとえば、機器であるスイッチの操作により、機器である照明器具の点灯あるいは消灯の動作を行うことが可能になる。また、連動動作の関係付けはサブシステム内で行うことが多いが、サブシステムを超える関係付けも可能である。
【００４４】
ところで、直流電力供給部１０１は、基本的には、商用電源のように宅外から供給される交流電源ＡＣの電力変換により直流電力を生成する。図示する構成では、交流電源ＡＣは、分電盤１１０に内器として取り付けられた主幹ブレーカ１１１を通して、スイッチング電源を含むＡＣ／ＤＣコンバータ１１２に入力される。ＡＣ／ＤＣコンバータ１１２から出力される直流電力は、協調制御部１１３を通して各直流ブレーカ１１４に接続される。
【００４５】
直流電力供給部１０１には、交流電源ＡＣから電力が供給されない期間（たとえば、商用電源ＡＣの停電期間）に備えて二次電池１６２が設けられている。また、直流電力を生成する太陽電池１６１や燃料電池１６３を併用することも可能になっている。交流電源ＡＣから直流電力を生成するＡＣ／ＤＣコンバータ１１２を備える主電源に対して、太陽電池１６１や二次電池１６２や燃料電池１６３は分散電源になる。なお、図示例において、太陽電池１６１、二次電池１６２、燃料電池１６３は出力電圧を制御する回路部を含み、二次電池１６２は放電だけではなく充電を制御する回路部も含んでいる。
【００４６】
分散電源のうち太陽電池１６１や燃料電池１６３は必ずしも設けなくてもよいが、二次電池１６２は設けるのが望ましい。二次電池１６２は主電源や他の分散電源により適時充電され、二次電池１６２の放電は、交流電源ＡＣから電力が供給されない期間だけではなく必要に応じて適時に行われる。二次電池１６２の充放電や主電源と分散電源との協調は、協調制御部１１３により行われる。すなわち、協調制御部１１３は、直流電力供給部１０１を構成する主電源および分散電源から直流機器１０２への電力の配分を制御する直流電力制御部として機能する。なお、太陽電池１６１、二次電池１６２、燃料電池１６３の出力を交流電力に変換し、ＡＣ／ＤＣコンバータ１１２の入力電力として用いる構成を採用してもよい。
【００４７】
直流機器１０２の駆動電圧は機器に応じた複数種類の電圧から選択されるから、協調制御部１１３にＤＣ／ＤＣコンバータを設け、主電源および分散電源から得られる直流電圧を必要な電圧に変換するのが望ましい。通常は、１系統のサブシステム（もしくは１台の直流ブレーカ１１４に接続された直流機器１０２）に対して１種類の電圧が供給されるが、１系統のサブシステムに対して３線以上を用いて複数種類の電圧を供給するように構成してもよい。あるいはまた、直流供給線路Ｗｄｃを２線式とし、線間に印加する電圧を時間経過に伴って変化させる構成を採用することも可能である。ＤＣ／ＤＣコンバータは、直流ブレーカと同様に複数に分散して設けてもよい。
【００４８】
上述の構成例では、ＡＣ／ＤＣコンバータ１１２を１個だけ図示しているが、複数個のＡＣ／ＤＣコンバータ１１２を並設することが可能であり、複数個のＡＣ／ＤＣコンバータ１１２を設けるときには、負荷の大きさに応じて運転するＡＣ／ＤＣコンバータ１１２の台数を増減させるのが望ましい。
【００４９】
上述したＡＣ／ＤＣコンバータ１１２、協調制御部１１３、直流ブレーカ１１４、太陽電池１６１、二次電池１６２、燃料電池１６３には通信機能が設けられており、主電源および分散電源や直流機器１０２を含む負荷の状態に対処する連携動作を行うことを可能にしている。この通信に用いる通信信号は、直流機器２に用いる通信信号と同様に直流電圧に重畳する形式で伝送する。
【００５０】
上述の例では主幹ブレーカ１１１から出力された交流電力をＡＣ／ＤＣコンバータ１１２により直流電力に変換するために、ＡＣ／ＤＣコンバータ１１２を分電盤１１０内に配置しているが、主幹ブレーカ１１１の出力側において分電盤１１０内に設けた分岐ブレーカ（図示せず）で交流供給線路を複数系統に分岐し、各系統の交流供給線路にＡＣ／ＤＣコンバータを設けて系統ごとに直流電力に変換する構成を採用してもよい。
【００５１】
この場合、家屋Ｈの各階や各部屋を単位として直流電力供給部１０１を設けることができるから、直流電力供給部１０１を系統別に管理することができ、しかも、直流電力を利用する直流機器１０２との間の直流供給線路Ｗｄｃの距離が小さくなるから、直流供給線路Ｗｄｃでの電圧降下による電力損失を低減させることができる。また、主幹ブレーカ１１１および分岐ブレーカを分電盤１１０に収納し、ＡＣ／ＤＣコンバータ１１２と協調制御部１１３と直流ブレーカ１１４と宅内サーバ１１６とを分電盤１１０とは別の盤に収納してもよい。
【００５２】
以下では、上述したＤＣ配電システムにおいて照明システムＫ１０２を構築するＬＥＤ照明器具（直流機器１０２）に本発明を適用した例を説明するが、本発明はこの種のＬＥＤ照明器具以外のＬＥＤ照明器具にも適用することができる。ここで、直流アウトレットから直流機器１０２に印加される直流電圧の大きさは、交流の商用電源に比較して低く（たとえば２４Ｖ、５０Ｖなど）設定されている。
【００５３】
（実施形態１）
本実施形態のＬＥＤ照明器具１（直流機器１０２）は、図１に示すように分電盤１１０内に設けられているＡＣ／ＤＣコンバータ１１２の出力に対し一対の直流供給線路Ｗｄｃを介して接続され、ＡＣ／ＤＣコンバータ１１２からの直流電力の供給を受けて発光ダイオード（ＬＥＤ）からなる光源２を点灯させるものである。なお、照明システムＫ１０２は複数台のＬＥＤ照明器具によって構成されているが、図１では１台のＬＥＤ照明器具１のみを図示することとし、他のＬＥＤ照明器具の図示は省略する。さらに、図１では、分電盤１１０内におけるＡＣ／ＤＣコンバータ１１２以外の装置（主幹ブレーカ１１１、協調制御部１１３、直流ブレーカ１１４等）並びに接続ボックス１２１やスイッチ１４１の図示も省略する。
【００５４】
ここに例示するＡＣ／ＤＣコンバータ１１２は、参照電圧Ｖｒｅｆの直流電圧を一対の直流供給線路Ｗｄｃに出力するように、入力電力を高周波出力に変換する電力変換回路４と、電力変換回路４の出力端間に１次巻線を接続したトランスＴ２と、中間タップを設けたトランスＴ２の２次巻線に誘起された電圧を整流する一対のダイオードＤ７，Ｄ８と、整流後の電圧を平滑して直流供給線路Ｗｄｃに出力する平滑コンデンサＣ５とを備え、フィードバック回路５により平滑コンデンサＣ５の出力を参照電圧Ｖｒｅｆとするように電力変換回路４をフィードバック制御する構成を有する。
【００５５】
ＬＥＤ照明器具１は、図１に示すように直流供給線路Ｗｄｃを介して配電される直流電力を用いて光源２の点灯に適した直流電力を生成するために、スイッチング電源１１を器具本体に具備している。このスイッチング電源１１は、電圧帰還型の自励式複合共振直列コンバータであり、スイッチング素子Ｑ１，Ｑ２の低損失・低雑音化を維持しながら、従来の他励式に比べて大幅な回路の簡素化、低コスト化を図り、さらに動作の高周波化を可能とするものである。
【００５６】
以下に、スイッチング電源１１の具体的な回路構成について図１を参照して説明する。
【００５７】
直流供給線路Ｗｄｃに接続される一対の直流入力端Ｉｎ１，Ｉｎ２間には、パワーＭＯＳＦＥＴからなる第１および第２のスイッチング素子Ｑ１，Ｑ２の直列回路が接続されている。そして、第１および第２のスイッチング素子Ｑ１，Ｑ２のいずれか一方と並列に、インダクタＬと出力トランスＴ１の１次巻線Ｌ１０とコンデンサＣ１との直列共振回路が接続されるとともに、コンデンサＣ２が接続されている（図１では、直列共振回路およびコンデンサＣ２を第２のスイッチング素子Ｑ２に並列に接続した例を示している）。なお、図１において、スイッチング素子Ｑ１，Ｑ２とそれぞれ逆並列に接続されたダイオードＤ１，Ｄ２は、各スイッチング素子Ｑ１，Ｑ２のボディダイオードである。
【００５８】
さらに出力トランスＴ１の２次巻線（第１の２次巻線）に中間タップを設けて２分割（Ｌ２１，Ｌ２２）し、それらの出力を整流するダイオードＤ３，Ｄ４で全波整流回路を形成し、各ダイオードＤ３，Ｄ４のカソードと前記中間タップとの間に平滑コンデンサＣ３および光源２が接続される。また、出力トランスＴ１に１次巻線Ｌ１０と磁気結合された第２の補助巻線Ｌ１２を設け、当該補助巻線Ｌ１２のうち１次巻線Ｌ１０におけるスイッチング素子Ｑ１，Ｑ２の接続点側の端子とは逆極性の端子を、ゲート抵抗Ｒ１２を介してスイッチング素子Ｑ２のゲートに接続し、補助巻線Ｌ１２に生じる電圧で第２のスイッチング素子Ｑ２をオン駆動できるように構成する。高電位側のスイッチング素子Ｑ１のゲート駆動についても同様に、出力トランスＴ１に１次巻線Ｌ１０と磁気結合された第１の補助巻線Ｌ１１を設け、当該補助巻線Ｌ１１のうち１次巻線Ｌ１０におけるスイッチング素子Ｑ１，Ｑ２の接続点側の端子と同一極性の端子を、ゲート抵抗Ｒ１１を介して第１のスイッチング素子Ｑ１のゲートに接続し、第１の補助巻線Ｌ１１に生じる電圧でスイッチング素子Ｑ１をオン駆動できるように構成する。しかして、２つの補助巻線Ｌ１１，Ｌ１２からの帰還電圧によって、スイッチング素子Ｑ１，Ｑ２が交互にオンして自励発振する。
【００５９】
ところで、本実施形態のＬＥＤ照明器具１は、各スイッチング素子Ｑ１，Ｑ２のゲート−ソース間にそれぞれ接続された第１および第２のスイッチ要素ＳＷ１，ＳＷ２と、第１および第２のスイッチ要素ＳＷ１，ＳＷ２をそれぞれオンオフ制御する第１および第２の制御部Ｃｏｎｔ１，Ｃｏｎｔ２とで構成された第１および第２の制御回路６，７をスイッチング電源１１に具備している。第１および第２のスイッチ要素はＳＷ１，ＳＷ２は各々のオン時に第１および第２のスイッチング素子Ｑ１，Ｑ２をそれぞれオフするものであって、各制御部Ｃｏｎｔ１，Ｃｏｎｔ２は、各補助巻線Ｌ１１，Ｌ１２に誘起される電圧に基づいてこれらスイッチ要素ＳＷ１，ＳＷ２をオンさせるタイミング、すなわちスイッチング素子Ｑ１，Ｑ２をオフさせるタイミングを設定するために設けられている。
【００６０】
各制御部Ｃｏｎｔ１，Ｃｏｎｔ２はそれぞれ、ダイオードＤ５とコンデンサＤ４との直列回路からなり各補助巻線Ｌ１１，Ｌ１２の両端間に接続されるピークホールド回路８と、前記ダイオードＤ５の逆電圧を検出し、スイッチ要素ＳＷ１，ＳＷ２をオンさせるための比較器Ｃｏｍｐ１と、次のサイクルに備えてコンデンサＣ４の電荷を放電するための遅延回路１２およびスイッチＳＷ３とによって構成され、以下に説明する自励動作を行うものである。なお、図１では第１の制御部Ｃｏｎｔ１の具体構成の図示を省略するが、第１の制御部Ｃｏｎｔ１も第２の制御部Ｃｏｎｔ２と同様の構成を採用しているものとする。
【００６１】
以下では、図３を参照して本実施形態のＬＥＤ照明器具１の回路動作を説明する。
【００６２】
図３は、本構成に係る電圧帰還型の自励式複合共振直列コンバータの動作波形図である。図中ＶＱ１，ＶＱ２は各スイッチング素子Ｑ１，Ｑ２のドレイン−ソース間電圧、ＩＱ１，ＩＱ２は各スイッチング素子Ｑ１，Ｑ２のドレイン電流、ＩＤ３，ＩＤ４は各ダイオードＤ３，Ｄ４、ＶＬ１０は出力トランスＴ１の１次巻線Ｌ１０の両端電圧、ＶＬ１２は第２の補助巻線Ｌ１２に生じる帰還電圧、ＶＬ１１は第１の補助巻線Ｌ１１に生じる帰還電圧、ＶＣ４はピークホールド用のコンデンサＣ４の両端電圧、Ｖｃｏｎｔ１，Ｖｃｏｎｔ２は比較器Ｃｏｍｐ１の出力からなる制御部Ｃｏｎｔ１，Ｃｏｎｔ２の出力信号（つまり、スイッチ要素ＳＷ１，ＳＷ２をオンする信号）をそれぞれ表している。
【００６３】
ここで、電圧ＶＬ１２が正の間にコンデンサＣ４は当該電圧ＶＬ１２よりダイオードＤ５のオン電圧だけ低い電圧まで充電されることになるが、以下の説明ではダイオードＤ５のオン電圧を無視できる程度の大きさと仮定し、補助巻線Ｌ１２に生じる誘起電圧はそのピークにおいてピークホールド回路８によりコンデンサＣ４の両端電圧ＶＣ４としてホールドされるものとする。
【００６４】
スイッチング素子Ｑ１，Ｑ２が交互にオンオフした際に出力トランスＴ１の１次巻線Ｌ１０に印加される電圧ＶＬ１０は、図３（ａ）に示すように矩形波状の波形となり、補助巻線Ｌ１１，Ｌ１２には電圧ＶＬ１０に相似した電圧ＶＬ１１，ＶＬ１２が発生する。なお、補助巻線Ｌ１２に発生する電圧ＶＬ１２は、１次巻線Ｌ１０の両端電圧ＶＬ１０とは正負が逆になる。ここで、電流帰還の場合は正弦波状の共振電流が帰還されるのに対して、出力トランスＴ１からの電圧帰還においては前記電圧ＶＬ１０のような矩形波の電圧が帰還されるので、スイッチング素子Ｑ１，Ｑ２の駆動に適することが理解される。
【００６５】
以下、図３（ａ）の一部Ａを詳しく示す図３（ｂ）を参照して、スイッチング素子Ｑ１，Ｑ２のオンオフ制御について説明する。
【００６６】
図３の例において、第１のスイッチング素子Ｑ１がオフの状態で、第２の補助巻線ＶＬ１２の両端電圧ＶＬ１２が立上がると、当該両端電圧ＶＬ１２は、ゲート抵抗Ｒ１２を介して第２のスイッチング素子Ｑ２のゲート−ソース間に印加されてスイッチング素子Ｑ２をオンさせ、且つ立上がった時点からインダクタＬとコンデンサＣ１との共振周波数で決まる一定時間経過後（図３（ｂ）の時刻ｔ０）にピークから低下し始める。そして、電圧ＶＬ１２が低下することによって時刻ｔ０の直後には電圧ＶＬ１２がホールド電圧ＶＣ４を下回り（ＶＣ４＞ＶＬ１２）、電圧ＶＣ４と電圧ＶＬ１２との差分（ＶＣ４−ＶＬ１２）がダイオードＤ５に逆電圧として印加される。ここに、比較器Ｃｏｍｐ１はダイオードＤ５にかかる逆電圧を所定の閾値δと比較し、当該逆電圧が閾値δを超えた時点（図３（ｂ）の時刻ｔ１）で、スイッチング素子Ｑ２のゲート−ソース間に接続されたスイッチ要素ＳＷ２をオンする出力信号Ｖｃｏｎｔ２を発生することにより、スイッチング素子Ｑ２をオフさせる（図３（ｂ）の時刻ｔ２）。すなわち、比較器Ｃｏｍｐ１は、第２の補助巻線Ｌ１２に生じる誘起電圧ＶＬ１２がピークホールドされている電圧ＶＣ４より予め定めるレベル（ここでは閾値δ）以上低下したときに、スイッチ要素ＳＷ２をオンすることで第２のスイッチング素子Ｑ２をオフさせる。
【００６７】
このように、第２の制御回路７（スイッチ要素ＳＷ２および制御部Ｃｏｎｔ２）が第２の補助巻線Ｌ１２の両端電圧ＶＬ１２の低下を検知してスイッチング素子Ｑ２をオフさせる結果、１次巻線Ｌ１０には逆起電力が発生して１次巻線Ｌ１０の両端電圧ＶＬ１０が上昇し、補助巻線Ｌ１２の両端電圧ＶＬ１２は時刻ｔ２から速やかに低下する。その後、次のオンサイクルに備えて遅延回路１２で前記時刻ｔ１から時間ｔｄだけ遅延した後、コンデンサＣ４の電荷をスイッチ要素ＳＷ３によって放電させる結果、コンデンサＣ４の両端電圧ＶＣ４はゼロにリセットされ、第２の制御部Ｃｏｎｔ２の出力信号Ｖｃｏｎｔ２がＬｏｗになる。
【００６８】
さらに、１次巻線Ｌ１０の両端電圧ＶＬ１０の上昇に伴い、スイッチング素子Ｑ２がオフした時刻ｔ２から適度なデッドタイム（デッドオフタイム）を経て、補助巻線Ｌ１１の両端電圧ＶＬ１１が立上がる（図３（ｂ）の時刻ｔ３）。立上がった電圧ＶＬ１１は、ゲート抵抗Ｒ１１を介してスイッチング素子Ｑ１のゲート−ソース間に印加されてスイッチング素子Ｑ１をオンさせ、且つ立上がった時点（前記時刻ｔ３）からインダクタＬとコンデンサＣ１との共振周波数で決まる一定時間経過後に低下し始めることとなる。その後、上述したスイッチング素子Ｑ２をオフさせる第２の制御回路７（スイッチ要素ＳＷ２および制御部Ｃｏｎｔ２）と同様の動作により、第１の制御回路６（スイッチ要素ＳＷ１および制御部Ｃｏｎｔ１）がスイッチング素子Ｑ１をオフさせる。
【００６９】
本実施形態のＬＥＤ照明器具１に用いたスイッチング電源１１は、上記動作を繰り返すことにより、自励式であっても、スイッチング素子Ｑ１のドレイン−ソース間電圧ＶＱ１、ドレイン電流ＩＱ１およびスイッチング素子Ｑ２のドレイン−ソース間電圧ＶＱ２、ドレイン電流ＩＱ２、並びにダイオード電流ＩＤ３，ＩＤ４に関して、前記図７で示す他励式と極めて近似した波形が得られることになる。
【００７０】
このような複合共振型直列コンバータでは、ＺＶＳ（ゼロ電圧スイッチング）、すなわちスイッチング素子Ｑ１，Ｑ２の印加電圧が低下した後で同スイッチング素子Ｑ１，Ｑ２に電流が流れ始めるように動作させることができ、スイッチング損失が極めて少ないこと、およびダイオードＤ３，Ｄ４のリカバリ損失を回避できることから、高効率で高周波化が可能となる。また、スイッチング時の電圧・電流波形が安定しているとともに、ダイオードＤ３，Ｄ４のリンギングも抑制できることから、雑音面でも優れているという利点がある。
【００７１】
しかして、スイッチング素子Ｑ１，Ｑ２の低損失・低雑音化を維持しながら、他励式に比べて大幅な回路の簡素化、低コスト化を図り、さらに動作の高周波化（たとえば５００ｋＨｚ）を可能とすることができる。
【００７２】
ところで、本実施形態においては、スイッチング素子Ｑ１，Ｑ２をオフさせるタイミングとして、以下に図４を参照して説明するタイミングを採用している。
【００７３】
図４は、図１で示す本実施形態の自励式複合共振直列コンバータではなく、前述の図６で示す他励式複合共振直列コンバータに第２の補助巻線Ｌ１２を付加したものの動作波系図である。なお、図４において図３と同一の符号は同一の対象を表しており、ＶＣ１はコンデンサＣ１の両端電圧を表している。ここでは特に第２の補助巻線Ｌ１２の両端電圧ＶＬ１２ｂの波形を詳しく示してある。
【００７４】
ここにおいて、制御部１０（図６参照）によるスイッチング素子Ｑ１，Ｑ２の駆動周波数（スイッチング周波数）と、インダクタＬおよびコンデンサＣ１の直列共振周波数との関係が「共振周波数＞駆動周波数」の条件を満足する設定とすることよって、ダイオードＤ３，Ｄ４の一方の電流ＩＤ３，ＩＤ４が流れ終わった後に他方の電流ＩＤ３，ＩＤ４が流れ始めるように設定が可能である。ただし、この場合、両ダイオードＤ３，Ｄ４の電流ＩＤ３，ＩＤ４が途切れる区間に対応して、出力トランスＴ１の１次巻線Ｌ１０に印加される電圧ＶＬ１０の波形には、図４に示すように段差Ｐ（図４の時刻ｔ２〜ｔ２’）が生じる。
【００７５】
本実施形態はこの段差Ｐに着目したものであり、スイッチング素子Ｑ１，Ｑ２をオフさせるタイミングをこの段差Ｐの発生時点（前記時刻ｔ２）と一致させることによって、下記の効果を狙ったものである。
【００７６】
すなわち、段差Ｐの発生までの期間はインダクタＬとコンデンサＣ１との直列共振周波数に依存し、安定した動作周波数設計が可能である。また、段差Ｐの発生は、出力トランスＴ１の２次側においてダイオードＤ３，Ｄ４の電流ＩＤ３，ＩＤ４が途切れた結果であり、まさに他励式において理想とされるスイッチングオフの動作ポイントとなるため、段差Ｐの発生時点でスイッチング素子Ｑ１，Ｑ２をオフすることにより、ダイオードＤ３，Ｄ４のリカバリを抑制できるとともに、リンギングも抑制できる。さらにまた、段差Ｐの発生時点（前記時刻ｔ２）でスイッチング素子Ｑ１，Ｑ２がオフすると、補助巻線Ｌ１１，Ｌ１２の両端電圧が立上がって他のスイッチング素子Ｑ１，Ｑ２がオンする時点（図４の時刻ｔ３）までに、適度のデッドタイムを確保することができるので、結果的に、スイッチング素子Ｑ１，Ｑ２のＺＶＳ動作を確実に実現できる。
【００７７】
本実施形態では、スイッチング素子Ｑ１，Ｑ２がオフするタイミングを、比較器Ｃｏｍｐ１においてダイオードＤ５にかかる逆電圧と比較される閾値δの大きさによって設定しており、比較器Ｃｏｍｐ１からの出力信号Ｖｃｏｎｔ１，Ｖｃｏｎｔ２（図３参照）を受けてスイッチ要素ＳＷ１，ＳＷ２がオンするタイミング（図３（ｂ）の時刻ｔ２）が、上述した段差Ｐの発生タイミング（図４の時刻ｔ２）と一致するように前記閾値δは設定される。
【００７８】
以上説明した構成のＬＥＤ照明器具１によれば、一対の直流入力端Ｉｎ１，Ｉｎ２が直流供給線路Ｗｄｃを介して分電盤１１２内のＡＣ／ＤＣコンバータ１１０に接続されることにより、直流供給線路Ｗｄｃを介して直流電力が供給されることになる。したがって、ＬＥＤ照明器具１においては交流電源を直流電源に変換するＡＣ／ＤＣ変換回路が不要になり、ＡＣ／ＤＣ変換回路を構成する全波整流器や平滑コンデンサの分だけＬＥＤ照明器具１の小型化が可能になる。なお、全波整流器が不要になることで、全波整流器で生じる損失分だけ回路効率が向上するという利点もある。
【００７９】
さらに、直流入力端Ｉｎ１，Ｉｎ２にはラインフィルタ（図示せず）を接続する必要があるが、直流入力端Ｉｎ１，Ｉｎ２にかかる直流電圧は交流の商用電源に比較して低く（たとえば２４Ｖ、５０Ｖなど）設定されているので、交流の商用電源を入力とする場合に比べて、ラインフィルタの絶縁距離を短くすることでラインフィルタを小型化することができ、ＬＥＤ照明器具１の小型化を図ることができる。
【００８０】
しかも、第１および第２の補助巻線Ｌ１１，Ｌ１２のうち、一方のピークからの電圧低下を制御回路６，７が検知して第１および第２のスイッチング素子Ｑ１，Ｑ２のうちのオンしていた側をオフ駆動するとともに、他方の電圧上昇により第１および第２のスイッチング素子Ｑ１，Ｑ２のうちのオフしていた側をオンさせるので、電圧帰還型の自励式複合共振直列コンバータにおいて、適切なスイッチング条件（ＺＶＳ動作）を簡易な構成で実現でき、本来の特徴である低損失・低雑音化を維持しながら、他励式に比べて大幅な回路の簡素化、低コスト化を実現することができる。
【００８１】
また、スイッチング素子Ｑ１，Ｑ２のスイッチング周波数を高周波化することで、出力トランスＴ１の小型化によるＬＥＤ照明器具１の小型化にも適応できる。具体的に説明すると、一般的な他励式の複合共振直列コンバータでは、高電位側のスイッチング素子Ｑ１へのレベルシフタが必要で、その周波数追従性や損失の観点から、スイッチング素子Ｑ１，Ｑ２のスイッチング周波数は３００〜５００ｋＨｚ程度に制限されているのに対し、本実施形態の構成によればスイッチング周波数を５００ｋＨｚ以上とすることが可能であり、他励式のものに比べて出力トランスＴ１の小型化を図ることができる。たとえばスイッチング周波数を５００ｋＨｚとする場合、出力トランスＴ１のコアには高周波（５００ｋＨｚ）における損失が小さいものを採用することが望ましい。
【００８２】
なお、複合共振回路を形成するキャパシタＣ２については、第１および第２のスイッチング素子Ｑ１，Ｑ２の少なくとも一方に並列に設けるものとするが、スイッチング周波数が高い場合は、スイッチング素子Ｑ１，Ｑ２の寄生容量で代用することが可能である。
【００８３】
（実施形態２）
本実施形態のＬＥＤ照明器具１は、図５に示すように出力トランスＴ１の２次側に第２の２次巻線Ｌ２３と、当該第２の２次巻線に誘起される電圧で充電される二次電池Ｂａｔｔとを備え、直流供給線路Ｗｄｃから直流入力端Ｉｎ１，Ｉｎ２への電力供給の停止時に直流入力端Ｉｎ１，Ｉｎ２への入力を二次電池Ｂａｔｔに切り替えるようにした点が実施形態１のＬＥＤ照明器具１と相違する。
【００８４】
二次電池Ｂａｔｔは、第２の２次巻線Ｌ２３の両端間に整流用のダイオードＤ６を介して接続されており、スイッチング素子Ｑ１，Ｑ２をオンオフすることにより２次巻線Ｌ２３に電圧が誘起されると、この誘起電圧によって充電される。二次電池Ｂａｔｔの両端は、入力切替手段としてのスイッチＳＷ４，ＳＷ５を介して一対の直流入力端Ｗｄｃに接続されており、両スイッチＳＷ４，ＳＷ５のオン時に二次電池Ｂａｔｔの出力が直流入力端Ｉｎ１，Ｉｎ２に入力されるようになっている。なお、ダイオードＤ６と二次電池Ｂａｔｔとの間に充電電圧・電流を制御する充電制御手段を付加してもよい。
【００８５】
ここで、一対の直流入力端Ｉｎ１，Ｉｎ２間には、直流供給線路Ｗｄｃからの電力供給の停止を検出する停電検出手段３を具備しており、前記スイッチＳＷ４，ＳＷ５は、この停電検出手段３が電力供給の停止を検出したときに出力するオン信号を受けてオンする。
【００８６】
以上説明した構成によれば、直流供給線路Ｗｄｃから直流入力端Ｉｎ１，Ｉｎ２への電力供給の停止が検出されると、直流入力端Ｉｎ１，Ｉｎ２への入力が二次電池Ｂａｔｔに切り替わるので、停電時には二次電池Ｂａｔｔを電源として光源２を点灯させることができる。そのため、本実施形態のＬＥＤ照明器具１はたとえば非常灯や誘導灯への適用が可能である。
【００８７】
また、本実施形態のＬＥＤ照明器具では、器具本体の外郭を構成する器体として可搬型の器体（図示せず）を採用している。器体は、一対の直流入力端Ｉｎ１，Ｉｎ２にそれぞれ接続された一対の接触子（図示せず）を保持しており、この接触子は、直流コンセント１３１に開口した差込式の接続口（給電部）に差し込まれることによって直流コンセント１３１に装着される。ここで、接続口に差し込まれた接触子は、接続口内において直流コンセント１３１の接触子受けに直接接触することで直流供給線路Ｗｄｃに接続されることになる。
【００８８】
この構成により、二次電池Ｂａｔｔが充電されている状態で直流コンセント１３１から器具本体の器体を取り外せば、ＬＥＤ照明器具１を懐中電灯などの可搬型の照明器具として使用することができる。このとき、停電検出手段３およびスイッチＳＷ４，ＳＷ５によって、直流入力端Ｉｎ１，Ｉｎ２への入力は二次電池Ｂａｔｔに自動的に切り替わるので、入力を切り替えるための操作は特に必要ない。なお、本実施形態のＬＥＤ照明器具１は、自励式のスイッチング電源１１を採用することで小型化が可能であるから可搬型の器体を容易に実現できるが、それに加えてたとえば取っ手を有するなど、より持ち運びに適した形状の器体を採用してもよい。
【図面の簡単な説明】
【００８９】
【図１】本発明の実施形態１の構成を示す概略回路図である。
【図２】同上のＬＥＤ照明器具が用いられるＤＣ配電システムを示すシステム構成図である。
【図３】同上のＬＥＤ照明器具の動作波形図である。
【図４】図６で示す従来例の動作波形図である。
【図５】本発明の実施形態２の構成を示す概略回路図である。
【図６】従来例の構成を示す概略回路図である。
【図７】同上の動作波形図である。
【符号の説明】
【００９０】
１  ＬＥＤ照明器具
２  光源
３  停電検出手段
６  第１の制御回路
７  第２の制御回路
８  ピークホールド回路
１０２  直流機器
１１２  ＡＣ／ＤＣコンバータ
１３１  直流コンセント（直流アウトレット）
ＡＣ  交流電源
Ｂａｔｔ  二次電池
Ｃ１  コンデンサ
Ｃ３  平滑コンデンサ
Ｃｏｍｐ１  比較器
Ｄ３，Ｄ４  ダイオード（整流回路）
Ｉｎ１，Ｉｎ２  直流入力端
Ｌ  インダクタ
Ｌ１０  １次巻線
Ｌ１１  第１の補助巻線
Ｌ１２  第２の補助巻線
Ｌ２１，Ｌ２２  第１の２次巻線
Ｌ２３  第２の２次巻線
Ｑ１  第１のスイッチング素子
Ｑ２  第２のスイッチング素子
ＳＷ１，ＳＷ２  スイッチ要素
ＳＷ４，ＳＷ５  スイッチ（入力切替手段）
Ｔ１  出力トランス
Ｗｄｃ  直流供給線路
【図１】
0004956409.tif 000002
【図２】
0004956409.tif 000003
【図３】
0004956409.tif 000004
【図４】
0004956409.tif 000005
【図５】
0004956409.tif 000006
【図６】
0004956409.tif 000007
【図７】
0004956409.tif 000008